(57)【要約】  【課題】停止時に電動圧縮要素が回転方向、反回転方向に回転しても、コイルバネがスナブバーに接触する際の面圧を低減し、異常騒音の発生を低減した信頼性の高い密閉型圧縮機を提供することを目的とする。  【解決手段】コイルバネ１１６の内径部１１７に対して略半径方向に対向するスナブバー１１８の外表面に、コイルバネ１１６の内径部１１７の形状と係合可能な接触部１２０を形成したもので、停止時に電動圧縮要素が、回転方向、反回転方向に回転した場合においても、スナブバー１１８への面圧を低減できるので、停止時の異常音の発生を低減できる。【選択図】図３
2009085194.tif 000002
【特許請求の範囲】
【請求項１】
密閉容器と、前記密閉容器内に収納され往復運動するピストンを含んだ電動圧縮要素と、前記電動圧縮要素を弾性的に支持するコイルバネと、前記コイルバネの前記密閉容器側には前記コイルバネに圧入挿嵌されるシェルスナブバーと、前記コイルバネの前記電動圧縮要素側には前記電動圧縮要素に固着され前記コイルバネに遊嵌されるスナブバーとを備え、前記コイルバネの内径部に対して略半径方向に対向する前記スナブバーの外表面に、前記コイルバネの内径部の形状と係合可能な接触部を形成した密閉型圧縮機。
【請求項２】
密閉容器に対して電動圧縮要素が相対的に回転した際に、スナブバーの接触部とコイルバネの内径部とが、前記電動圧縮要素の回転方向に係合する請求項１に記載の密閉型圧縮機。
【請求項３】
コイルバネの内径部またはスナブバーの接触部の少なくともいずれかに一方に、弾性部材を備えた請求項１または請求項２に記載の密閉型圧縮機。
【請求項４】
少なくともスナブバーの接触部を固体潤滑材料で形成した請求項１または請求項２に記載の密閉型圧縮機。
【請求項５】
少なくとも電源周波数以上の運転周波数を含む複数の運転周波数でインバータ駆動される請求項１から請求項４のいずれか一項に記載の密閉型圧縮機。
【請求項６】
ピストンで圧縮される冷媒がＲ４０４Ａである請求項１から請求項５のいずれか一項に記載の密閉型圧縮機。
【発明の詳細な説明】
【技術分野】
【０００１】
本発明は、主に冷凍冷蔵装置、エアーコンディショナー等に用いられる密閉型圧縮機のスナブバーの改良に関するものである。
【背景技術】
【０００２】
従来の密閉型圧縮機としては、振動や騒音を低減するスナブバーを密閉容器内に備えたもの（例えば、特許文献１参照）がある。
【０００３】
以下、図面を参照しながら上記従来の密閉型圧縮機を説明する。
【０００４】
図９は従来の密閉型圧縮機の断面図、図１０は従来の密閉型圧縮機の平面図、図１１は従来の密閉型圧縮機の要部拡大断面図、図１２は従来の密閉型圧縮機の変位時の要部拡大断面図である。
【０００５】
図９、図１０、図１１、図１２、において、密閉容器１は冷却システム（図示しない）と連結される吐出管２と吸入管３を備えており、固定子４と回転子５とからなる電動要素６およびこれによって駆動される電動圧縮要素７を収容している。
【０００６】
電動圧縮要素７は、シリンダ９を形成するブロック１０と、シリンダ９内に往復自在に挿入されたピストン１１と、主軸部１２および偏芯部１３からなるシャフト１４と、偏芯部１３とピストン１１を連結するコンロッド１５とを備え、主軸部１２には回転子５が、ブロック１０には固定子４がそれぞれ固定されている。
【０００７】
電動圧縮要素７は、複数のコイルバネ１６により密閉容器１内に弾性的に支持されており、コイルバネ１６は、内径部１７を電動圧縮要素７側に設けたスナブバー１８と密閉容器１側に設けたシェルスナブバー１９により、両端が狭持されている。
【０００８】
以上のように構成された密閉型圧縮機について、以下その動作を説明する。
【０００９】
運転時においては、電動要素６に電気が供給されると回転子５が回転し、シャフト１４は回転駆動され、シャフト１４の回転運動がコンロッド１５によってピストン１１に伝えられ、圧縮動作を行う。
【００１０】
このとき、電動圧縮要素７で発生する圧縮負荷に応じて電動要素６は回転トルクを発生し、圧縮動作を続ける。
【００１１】
この際、圧縮動作に伴い電動圧縮要素７は振動するが、コイルバネ１６およびスナブバー１８が、密閉容器１への伝達を減衰し、圧縮機全体の振動を低減する。
【００１２】
また、停止時、電動要素６への電気供給が止まると、電動要素６が発生していた回転トルクが無くなるので、電動圧縮要素７で発生する圧縮負荷がコンロッド１５から、シャフト１４と回転子５にブレーキトルクを与え、回転運動が停止する。その際、ブレーキトルクに応じて、電動圧縮要素７はシャフト１４の主軸部１２を略中心として回転子５の回転方向へと回動するが、コイルバネ１６およびスナブバー１８がそのエネルギーを吸収し、回転方向と反回転方向の回転揺動運動を繰り返しながら減衰させることで、密閉容器１への伝達を減衰し、停止時の圧縮機全体の揺動をも低減する。
【特許文献１】特開２０００−９７１５３号公報
【発明の開示】
【発明が解決しようとする課題】
【００１３】
しかしながら、上記従来の構成では、停止直前の吐出圧力や、吸入圧力が高い場合では圧縮負荷が大きいことから、停止時に回転運動していた回転子５やシャフト１４に掛かるブレーキトルクも大きくなり、電動圧縮要素７の主軸部１２を略中心にした回転揺動も大きくなる。
【００１４】
この時、コイルバネ１６が回転方向に変位し、コイルバネ１６とスナブバー１８は接触する。ここで、コイルバネ１６がスナブバー１８に接触する時の衝撃荷重は点接触となるため、スナブバー１８にかかる面圧が大きくなる。そのため、繰り返し回転方向、反回転方向に回動すると、スナブバー１８にはコイルバネ１６と接触する面に凹みや摩耗を起こす場合がある。
【００１５】
その結果、コイルバネ１６とスナブバー１８との寸法距離が大きくなることにより、さらに回動範囲が広がるため、停止時に電動圧縮要素７が密閉容器１を衝撃加振し、異常音を発生してしまうという可能性があった。
【００１６】
本発明は、上記従来の課題を解決するもので、コイルバネがスナブバーに接触する際の面圧を低減し、異常騒音の発生を低減した信頼性の高い密閉型圧縮機を提供することを目的とする。
【課題を解決するための手段】
【００１７】
上記従来の課題を解決するために、本発明の密閉型圧縮機は、コイルバネの内径部に対して略半径方向に対向するスナブバー外表面にコイルバネの内径部の形状と係合可能な接触部を形成したもので、停止時に電動圧縮要素が回転した場合においても、コイルバネがスナブバーに接触する際、面接触となるためスナブバーへの面圧を低減できる作用を有する。
【発明の効果】
【００１８】
本発明の密閉型圧縮機は、コイルバネがスナブバーに接触する際の面圧を低減する事ができるので、接触面の凹みや摩耗を低減し、コイルバネとスナブバーの寸法距離を維持できるため、停止時の異常騒音の発生を低減した密閉型圧縮機を提供することができる。
【発明を実施するための最良の形態】
【００１９】
請求項１に記載の発明は、密閉容器と、前記密閉容器内に収納され往復運動するピストンを含んだ電動圧縮要素と、前記電動圧縮要素を弾性的に支持するコイルバネと、前記コイルバネの前記密閉容器側には前記コイルバネに圧入挿嵌されるシェルスナブバーと、前記コイルバネの前記電動圧縮要素側には前記電動圧縮要素に固着されコイルバネに遊嵌されるスナブバーとを備え、前記コイルバネの内径部に対して略半径方向に対向する前記スナブバーの外表面に、前記コイルバネの内径部の形状と係合可能な接触部を形成したもので、コイルバネがスナブバーに接触する際の面圧を低減する事ができるので、接触面の凹みや摩耗を低減し、コイルバネとスナブバーの寸法距離を維持できるため、停止時の異常騒音の発生を低減した密閉型圧縮機を提供することができる。
【００２０】
請求項２に記載の発明は、請求項１に記載の発明に加えて、密閉容器に対して電動圧縮要素が相対的に回転した際に、スナブバーの接触部とコイルバネの内径部とが、前記電動圧縮要素の回転方向に係合したもので、停止時に電動圧縮要素が回転方向と反回転方向の回転揺動運動を繰り返した場合においても、コイルバネがスナブバーに接触する際の面圧を低減する事ができるので、接触面の凹みや摩耗を低減し、コイルバネとスナブバーの寸法距離を維持できるため、請求項１に記載の発明の効果に加えさらに停止時の異常騒音の発生を低減した密閉型圧縮機を提供することができる。
【００２１】
請求項３に記載の発明は、請求項１または請求項２に記載の発明に加えて、コイルバネの内径部またはスナブバーの接触部の少なくともいずれかに一方に、弾性部材を備えたもので、弾性部材の弾性によりコイルバネがスナブバーに接触する際の衝撃荷重を減衰、低減できるので、請求項１または請求項２に記載の発明の効果に加えさらに停止時の異常騒音の発生を低減した密閉型圧縮機を提供する事ができる。
【００２２】
請求項４に記載の発明は、請求項１または請求項２に記載の発明に加えて、少なくともスナブバーの接触部を固体潤滑材料で形成したもので、コイルバネとスナブバーの接触面の摩擦係数が低くなるため、急激な変位が生じても表面同士が引っかかることなく滑るため、コイルバネがスナブバーに接触する際に生じる摩耗が抑えられ、請求項１または請求項２に記載の発明の効果に加えさらに停止時の異常騒音の発生を低減した密閉型圧縮機を提供する事ができる。
【００２３】
請求項５に記載の発明は、請求項１から請求項４のいずれか一項に記載の発明に加えて、少なくとも電源周波数以上の運転周波数を含む複数の運転周波数でインバータ駆動されるもので、圧縮負荷が増加する電源周波数以上の回転数で停止し、回転揺動が大きくなる場合においても、コイルバネがスナブバーに接触する際の面圧を低減する事ができるので、請求項１から請求項４のいずれか一項に記載の発明の効果に加え高周波数運転での信頼性を向上させた密閉型圧縮機を提供することができる。
【００２４】
請求項６に記載の発明は、請求項１から請求項５のいずれか一項に記載の発明に加えて、ピストンで圧縮される冷媒がＲ４０４Ａで運転されるもので、停止直前の吐出圧力や吸入圧力が高く、停止時の回転揺動が大きくなる場合においても、コイルバネがスナブバーに接触する際の面圧を低減する事ができるので、請求項１から請求項５のいずれか一項に記載の発明の効果に加えさらに信頼性の高い密閉型圧縮機を提供することができる。
【００２５】
（実施の形態１）
図１は本発明の実施の形態１における密閉型圧縮機の断面図、図２は同実施の形態における密閉型圧縮機の平面図、図３は同実施の形態における密閉型圧縮機の要部拡大断面図、図４は同実施の形態における密閉型圧縮機の変位時の要部拡大断面図である。
【００２６】
図１、図２、図３、図４において、密閉容器１０１は冷却システム（図示しない）と連結される吐出管１０２と吸入管１０３を備えており、固定子１０４と回転子１０５とからなる電動要素１０６およびこれによって駆動される電動圧縮要素１０７を収容している。
【００２７】
電動圧縮要素１０７は、シリンダ１０９を形成するブロック１１０と、シリンダ１０９内に往復自在に挿入されたピストン１１１と、主軸部１１２および偏芯部１１３からなるシャフト１１４と、偏芯部１１３とピストン１１１を連結するコンロッド１１５とを備え、主軸部１１２には回転子１０５が、ブロック１１０には固定子１０４がそれぞれ固定されている。
【００２８】
電動圧縮要素１０７は、複数のコイルバネ１１６により密閉容器１０１内に弾性的に支持されており、コイルバネ１１６は、内径部１１７を電動圧縮要素１０７側に設けたスナブバー１１８と密閉容器１０１側に設けたシェルスナブバー１１９により、両端が狭持されている。
【００２９】
スナブバー１１８の外表面にはコイルバネ１１６の内径部１１７の形状と係合可能な接触部１２０を形成している。
【００３０】
また、スナブバー１１８の接触部１２０とコイルバネ１１６の内径部１１７とが、電動圧縮要素１０７の回転方向に係合するよう接触部１２０を形成している。
【００３１】
また、弾性部材として四フッ化エチレンに代表されるフッ素系樹脂から成型されたキャップ１２１をスナブバー１１８に挿嵌させてある。
【００３２】
また、電動要素１０６は外部のインバータ駆動回路（図示しない）と繋がり、電源周波数以上の運転周波数を含む複数の運転周波数でインバータ駆動される。
【００３３】
また、冷媒はＲ４０４Ａを用いている。
【００３４】
以上のように構成された密閉型圧縮機について、以下その動作を説明する。
【００３５】
運転時においては、電動要素１０６に電気が供給されると回転子１０５が回転し、シャフト１１４は回転駆動され、シャフト１１４の回転運動がコンロッド１１５によってピストン１１１に伝えられ、圧縮動作を行う。
【００３６】
このとき、電動圧縮要素１０７で発生する圧縮負荷に応じて電動要素１０６は回転トルクを発生し、圧縮動作を続ける。
【００３７】
この際、圧縮動作に伴い電動圧縮要素１０７は振動するが、コイルバネ１１６およびスナブバー１１８が、密閉容器１０１への伝達を減衰し、圧縮機全体の振動を低減する。
【００３８】
また、停止時、電動要素１０６への電気供給が止まると、電動要素１０６が発生していた回転トルクが無くなるので、電動圧縮要素１０７で発生する圧縮負荷がコンロッド１１５から、シャフト１１４と回転子１０５にブレーキトルクを与え、回転運動が停止する。その際、ブレーキトルクに応じて、電動圧縮要素１０７はシャフト１１４の主軸部１１２を略中心として回転子１０５の回転方向へと回動するが、コイルバネ１１６およびスナブバー１１８がそのエネルギーを吸収し、回転方向と反回転方向の回転揺動運動を繰り返しながら減衰させることで、密閉容器１０１への伝達を減衰し、停止時の圧縮機全体の揺動をも低減する。
【００３９】
ここで、停止直前の吐出圧力や、吸入圧力が高い場合では圧縮負荷が大きいことから、停止時に回転運動していた回転子１０５やシャフト１１４に掛かるブレーキトルクも大きくなり、電動圧縮要素１０７の主軸部１１２を略中心にした回転揺動も大きくなる。
【００４０】
この時、コイルバネ１１６が回転方向に変位し、コイルバネ１１６とスナブバー１１８は接触するが、スナブバー１１８の外表面に、コイルバネ１１６の内径部１１７の形状と係合可能な接触部１２０を形成しているので、コイルバネ１１６がスナブバー１１８に接触する際の面圧を低減する事ができ、接触面の凹みや摩耗を低減し、コイルバネ１１６とスナブバー１１８の寸法距離を維持できるため、停止時の異常騒音の発生を低減した密閉型圧縮機を提供することができる。
【００４１】
また、停止時に電動圧縮要素１０７は電動要素１０６の回転軸を中心とした回転方向と反回転方向を主成分とした回転揺動運動を繰り返すが、その場合においても、スナブバー１１８の接触部１２０とコイルバネ１１６の内径部１１７とが、電動圧縮要素１０７の回転方向に係合するため、コイルバネ１１６がスナブバー１１８に接触する接触部１２０は面接触となり、スナブバー１１８への面圧を下げることができる。
【００４２】
よって、繰り返し回転方向、反回転方向に回動しても、接触面の凹みや摩耗を低減し、コイルバネ１１６とスナブバー１１８との寸法距離を維持できるので、停止時の回動範囲も維持できる。従って、停止時の異常騒音の発生を低減した密閉型圧縮機を提供することができる。
【００４３】
また、弾性部材として四フッ化エチレンに代表されるフッ素系樹脂から成型されたキャップ１２１をスナブバー１１８に挿嵌させてあるので、その弾性から、コイルバネ１１６とスナブバー１１８が接触する際の衝撃が緩和され、衝撃音の発生が抑制されるので、静かで信頼性の高い密閉型圧縮機を提供することができる。
【００４４】
さらに、四フッ化エチレンは高い固体潤滑性を備えているので、コイルバネ１１６がスナブバー１１８に接触しても表面同士がほとんど引っかかることなく滑るため、コイルバネ１１６がスナブバー１１８に接触する際に生じる凹みや摩耗が抑えられ、信頼性の高い密閉型圧縮機をも提供することができる。
【００４５】
また、組立は予めフッ素系樹脂で成型したキャップ１２１をスナブバー１１８に挿嵌するだけであり、生産性も良い。
【００４６】
なお、本実施の形態では、四フッ化エチレンを用いたが、同様の性質を備えた樹脂材料としてポリブチレンナフタレート、ポリブチレンテレフタレート、ポリフェニレンサルファイドを用いても同様の作用、効果が得られる。
【００４７】
また、電源周波数以上の運転周波数を含む複数の運転周波数でインバータ駆動され、圧縮負荷が増加する電源周波数以上の回転数で停止し、回転揺動が大きくなる場合においても、前記同様の作用、効果により、高周波数運転での信頼性を向上させた密閉型圧縮機を提供することができる。
【００４８】
また、Ｒ４０４Ａのような停止直前の吐出圧力や吸入圧力が高く、停止時の回転揺動が大きくなる場合においても、前記同様の作用、効果により、さらに停止時の異常騒音の発生を低減した密閉型圧縮機を提供することができる。
【００４９】
なお、本実施の形態では、Ｒ４０４Ａを用いたが、同様の性質を備えた冷媒としてＲ４１０Ａ、Ｒ４０７Ｃ、Ｒ２９０、ＣＯ２等の高圧冷媒を用いても同様の作用、効果が得られる。
【００５０】
（実施の形態２）
図５は本発明の実施の形態２における密閉型圧縮機の断面図、図６は同実施の形態における密閉型圧縮機の平面図、図７は同実施の形態における密閉型圧縮機の要部拡大断面図、図８は同実施の形態における密閉型圧縮機の変位時の要部拡大断面図である。
【００５１】
図５、図６、図７、図８において、密閉容器２０１は冷却システム（図示しない）と連結される吐出管２０２と吸入管２０３を備えており、固定子２０４と回転子２０５とからなる電動要素２０６およびこれによって駆動される電動圧縮要素２０７を収容している。
【００５２】
電動圧縮要素２０７は、シリンダ２０９を形成するブロック２１０と、シリンダ２０９内に往復自在に挿入されたピストン２１１と、主軸部２１２および偏芯部２１３からなるシャフト２１４と、偏芯部２１３とピストン２１１を連結するコンロッド２１５とを備え、主軸部２１２には回転子２０５が、ブロック２１０には固定子２０４がそれぞれ固定されている。
【００５３】
電動圧縮要素２０７は、複数のコイルバネ２１６により密閉容器２０１内に弾性的に支持されており、コイルバネ２１６は、内径部２１７を電動圧縮要素２０７側に設けたスナブバー２１８と密閉容器２０１側に設けたシェルスナブバー２１９により、両端が狭持されている。
【００５４】
スナブバー２１８の外表面にはコイルバネ２１６の内径部２１７の形状と係合可能な接触部２２０を形成している。
【００５５】
また、スナブバー２１８の接触部２２０とコイルバネ２１６の内径部２１７とが、電動圧縮要素２０７の回転方向に係合するよう接触部２２０を形成している。
【００５６】
また、固体潤滑材料として二硫化モリブデンを固着した二硫化モリブデン層２２１を形成している。
【００５７】
また、電動要素２０６は外部のインバータ駆動回路（図示しない）と繋がり電源周波数以上の運転周波数を含む複数の運転周波数でインバータ駆動される。
【００５８】
また、冷媒はＲ４０４Ａを用いている。
【００５９】
以上のように構成された密閉型圧縮機について、以下その動作を説明する。
【００６０】
運転時においては、電動要素２０６に電気が供給されると回転子２０５が回転し、シャフト２１４は回転駆動され、シャフト２１４の回転運動がコンロッド２１５によってピストン２１１に伝えられ、圧縮動作を行う。
【００６１】
このとき、電動圧縮要素２０７で発生する圧縮負荷に応じて電動要素２０６は回転トルクを発生し、圧縮動作を続ける。
【００６２】
この際、圧縮動作に伴い電動圧縮要素２０７は振動するが、コイルバネ２１６およびスナブバー２１８が、密閉容器２０１への伝達を減衰し、圧縮機全体の振動を低減する。
【００６３】
また、停止時、電動要素２０６への電気供給が止まると、電動要素２０６が発生していた回転トルクが無くなるので、電動圧縮要素２０７で発生する圧縮負荷がコンロッド２１５から、シャフト２１４と回転子２０５にブレーキトルクを与え、回転運動が停止する。その際、ブレーキトルクに応じて、電動圧縮要素２０７はシャフト２１４の主軸部２１２を略中心として回転子２０５の回転方向へと回動するが、コイルバネ２１６およびスナブバー２１８がそのエネルギーを吸収し、回転方向と反回転方向の回転揺動運動を繰り返しながら減衰させることで、密閉容器２０１への伝達を減衰し、停止時の圧縮機全体の揺動をも低減する。
【００６４】
ここで、停止直前の吐出圧力や、吸入圧力が高い場合では圧縮負荷が大きいことから、停止時に回転運動していた回転子２０５やシャフト２１４に掛かるブレーキトルクも大きくなり、電動圧縮要素２０７の主軸部２１２を略中心にした回転揺動も大きくなる。
【００６５】
この時、コイルバネ２１６が回転方向に変位し、コイルバネ２１６とスナブバー２１８は接触するが、スナブバー２１８の外表面に、コイルバネ２１６の内径部２１７の形状と係合可能な接触部２２０を形成しているので、コイルバネ２１６がスナブバー２１８に接触する際の面圧を低減する事ができ、接触面の凹みや摩耗を低減し、コイルバネ２１６とスナブバー２１８の寸法距離を維持できるため、停止時の異常騒音の発生を低減した密閉型圧縮機を提供することができる。
【００６６】
また、停止時に電動圧縮要素２０７は電動要素２０６の回転軸を中心とした回転方向と反回転方向を主成分とした回転揺動運動を繰り返すが、その場合においても、スナブバー２１８の接触部２２０とコイルバネ２１６の内径部２１７とが、電動圧縮要素２０７の回転方向に係合するため、コイルバネ２１６がスナブバー２１８に接触する接触部２２０は面接触となり、スナブバー２１８への面圧を下げることができる。
【００６７】
よって、繰り返し回転方向、反回転方向に回動しても、接触面の凹みや摩耗を低減し、コイルバネ２１６とスナブバー２１８との寸法距離を維持できるので、回動範囲も維持できる。従って、停止時の異常騒音の発生を低減した密閉型圧縮機を提供することができる。
【００６８】
また、スナブバー２１８は表面に二硫化モリブデンを固着した二硫化モリブデン層２２１を形成してあるが、二硫化モリブデンの組織は稠密六方晶であり、低い摩擦係数でへき開することで固体潤滑作用を発揮する。
【００６９】
従って、コイルバネ２１６がスナブバー２１８に接触しても表面同士がほとんど引っかかることなく滑るため、コイルバネ２１６がスナブバー２１８に接触する際に生じる凹みや摩耗が抑えられるため、前記同様の作用、効果により、さらに停止時の異常騒音の発生を低減した密閉型圧縮機を提供することができる。
【００７０】
さらに、スナブバー２１８の表面に二硫化モリブデンを固着した二硫化モリブデン層２２１を形成するだけなので、部品点数の増加がなく、その結果、組立工数の増加もなく安価な密閉型圧縮機を実現することができる。
【００７１】
また、電源周波数以上の運転周波数を含む複数の運転周波数でインバータ駆動され、圧縮負荷が増加する電源周波数以上の回転数で停止し、回転揺動が大きくなる場合においても、前記同様の作用、効果により、高周波数運転での信頼性を向上させた密閉型圧縮機を提供することができる。
【００７２】
また、Ｒ４０４Ａのような停止直前の吐出圧力や吸入圧力が高く、停止時の回転揺動が大きくなる場合においても、前記同様の作用、効果により、さらに停止時の異常騒音の発生を低減した密閉型圧縮機を提供することができる。
【００７３】
なお、本実施の形態では、Ｒ４０４Ａを用いたが、同様の性質を備えた冷媒としてＲ４１０Ａ、Ｒ４０７Ｃ、Ｒ２９０、ＣＯ２等の高圧冷媒を用いても同様の作用、効果が得られる。
【産業上の利用可能性】
【００７４】
以上のように、本発明にかかる密閉型圧縮機は、負荷が高い場合に停止しても、停止時の異常騒音の発生を低減した圧縮機を提供することができるので、空調用、業務用大型冷凍冷蔵機器等の用途にも適用できる。
【図面の簡単な説明】
【００７５】
【図１】本発明の実施の形態１における密閉型圧縮機の断面図
【図２】同実施の形態における密閉型圧縮機の平面図
【図３】同実施の形態における密閉型圧縮機の要部拡大断面図
【図４】同実施の形態における密閉型圧縮機の変位時の要部拡大断面図
【図５】本発明の実施の形態２における密閉型圧縮機の断面図
【図６】同実施の形態における密閉型圧縮機の平面図
【図７】同実施の形態における密閉型圧縮機の要部拡大断面図
【図８】同実施の形態における密閉型圧縮機の変位時の要部拡大断面図
【図９】従来の密閉型圧縮機の断面図
【図１０】従来の密閉型圧縮機の平面図
【図１１】従来の密閉型圧縮機の要部拡大断面図
【図１２】従来の密閉型圧縮機の変位時の要部拡大断面図
【符号の説明】
【００７６】
１０１，２０１  密閉容器
１０７，２０７  電動圧縮要素
１１１，２１１  ピストン
１１６，２１６  コイルバネ
１１７，２１７  内径部
１１８，２１８  スナブバー
１１９，２１９  シェルスナブバー
１２０，２２０  接触部
【図１】
2009085194.tif 000003
【図２】
2009085194.tif 000004
【図３】
2009085194.tif 000005
【図４】
2009085194.tif 000006
【図５】
2009085194.tif 000007
【図６】
2009085194.tif 000008
【図７】
2009085194.tif 000009
【図８】
2009085194.tif 000010
【図９】
2009085194.tif 000011
【図１０】
2009085194.tif 000012
【図１１】
2009085194.tif 000013
【図１２】
2009085194.tif 000014